(57)【要約】【課題】腕時計の時計本体部を本体ケースの装着溝に装着し、且つ、固定し得るようにすることによって、防水効果が図れると共に、肌触りなどの触感が良く、人体に有益な腕時計を提供する。【解決手段】本発明による腕時計は、上部中央にガラスが結合され、外側に宝石リングが結合され、一側に調節ピンが結合され、下端に複数の取付孔を備えているバックカバーが結合される時計本体部と、時計本体部が装着されかつ結合し得るように上部中央には装着溝が備えられ、装着溝の底面両側にはケース固定孔が備えられ、前面側には調節ピン装着部が設けられ、両側には時計バンドを連結し得るべくバンド取付部が形成されている本体ケースと、ケース固定孔を介してバックカバーの取付孔に結合されることによって、時計本体部を本体ケースの装着溝に固定させる固定ボルトと、本体ケースの両側バンド取付部に連結される時計バンドとを、包含することを特徴とする。【選択図】図１
2007003504.tif 000002
【特許請求の範囲】
【請求項１】
腕時計において、
上部中央にガラスが結合され、外側に宝石リングが結合され、一側に調節ピンが結合され、且つ、下端に複数の取付孔を備えているバックカバーが結合される時計本体部と、
前記時計本体部が装着されかつ結合されるように、上部中央には装着溝が備えられ、前記装着溝の底面両側にはケース固定孔が備えられ、前面側には調節ピン装着部が設けられ、且つ、両側には時計バンドを取り付けることができるバンド取付部が形成されている本体ケースと、
前記ケース固定孔を介してバックカバーの取付孔に螺合されることによって、前記時計本体部を本体ケースの装着溝に固定し得る固定ボルト及び、
前記本体ケースの両側バンド取付部に連結される時計バンドを包含することを特徴とする腕時計。
【請求項２】
前記本体ケースは、セラミック材からなることを特徴とする請求項１に記載の腕時計。
【請求項３】
前記本体ケースの装着溝の底面には、４つのケース固定孔が設けられることを特徴とする請求項２に記載の腕時計。
【発明の詳細な説明】
【技術分野】
【０００１】
本発明は、腕時計に関するものであって、さらに詳しくは、腕時計の時計本体部を本体ケースの装着溝に装着し、且つ、固定し得るようにすることによって、防水の効果が図れると共に、肌触りなどの触感が良く、人体に有益な腕時計に関する。
【背景技術】
【０００２】
一般に、腕時計は、時間を表示する時計本体部と、一側端部は時計本体部の両側にそれぞれ繋がり、他側端部は連結リングなどのような結合部材を備えているバンドとからなり、使用者の手首の太さに応じて着用することができるように成されている。
【０００３】
かかる構成により着用者が時間を確認し得るように成された腕時計は、日常生活に欠くことができないものとして、時間に追われる現代人にとって極めて大事なものとされている。
【０００４】
しかしながら、かかる従来の腕時計は、該形状や構造などの面において大同小異のものが多く、しかも機能性及び実用性よりは外観のみを重視しダイヤモンドなどのような高級宝石で飾り、該価値に差を付けようとする場合が多かった。そのため、自分の個性や感覚を積極的に表そうとする若者の多様な欲求を満足させるには及ばなかった。
【０００５】
そこで、多様な個性を呈しようとする若い消費者の欲求が高まりつつ、且つ、腕時計が自分の趣向や個性を現すためのファッション用品の一つとして大きく目立つようになった。したがって、従来のデザイン上の不自由から脱皮し、ファッション性に溢れた感覚をもつ腕時計の出現が要望されてきた。
【０００６】
従来には、両側に時計バンドが連結された本体ケースの中央に大孔を設け、時計本体部を該大孔の上部より組み込んだ後、接着剤により貼り合わせた状態で、後方からバックカバーを組み合わせることによって、腕時計を構成した。
【０００７】
前述したような腕時計は、時計本体部の後方に組み合わされるバックカバーが外部に露出されているため、防水に問題が生じる場合が多く、且つ、バックカバーが金属から成されているため、手首に直接触れる際、肌触りの触感が悪く、人体に有益ではないという問題点をも抱えていた。
【発明の開示】
【発明が解決しようとする課題】
【０００８】
本発明は、かかる従来技術等に鑑みてなされたものであり、その目的は、本体ケースに時計本体部を安着させかつ固定させることができるように腕時計を構成することによって、着用時、若い消費者に新概念のアクセサリー兼用の腕時計を提供することにある。
【０００９】
本発明の他の目的は、腕時計の時計本体部を本体ケースの装着溝に装着し、背面から固定し得るようにすることによって、防水の効果に優れており、且つ、手首に接触される部分がセラミック材からなるため肌触りが良く、人体に有益な腕時計を提供することにある。
【００１０】
本発明のさらに他の目的は、腕時計の時計本体部を本体ケースの装着溝に装着し、固定し得るようにすることによって、時計本体部のバックカバー部分が見えないことから、商品の価値が高まり、且つ、外観が美麗であるため、品格を向上させ得る腕時計を提供することにある。
【課題を解決するための手段】
【００１１】
前述した本発明の目的は、上部中央にガラスが結合され、外側に宝石リングが結合され、一側に調節ピンが結合され、下端に、複数の取付孔を備えているバックカバーが結合される時計本体部と、時計本体部が装着されかつ結合し得るように上部中央に装着溝が備えられ、装着溝の底面両側にはケース固定孔が備えられ、前面側には調節ピン装着部が設けられ、両側には時計バンドを連結し得るバンド取付部が形成されている本体ケースと、ケース固定孔を介してバックカバーの取付孔に結合されることによって、時計本体部を本体ケースの装着溝に固定させる固定ボルトと、本体ケースの両側バンド取付部に連結される時計バンドとを、包含することを特徴とする腕時計を提供することによって達成される。
【００１２】
本発明の好ましい特徴によると、前述した本体ケースはセラミック材からなる。
【００１３】
本発明のさらに好ましい特徴によると、前述した本体ケースにおける装着溝の底面には、４つのケース固定孔が設けられる。
【発明の効果】
【００１４】
前述した如く、本発明は、本体ケースに時計本体部を装着させかつ固定させ得る様に腕時計を構成し、若い消費者の要望に応じえる新概念のアクセサリー兼用の腕時計を提供するばかりでなく、防水の効果を提供する。また、手首にセラミック材が接触するようになるため、肌触りが良く、且つ、人体に有益である。さらに、外観から時計本体部のバックカバーが見えないことから、商品の価値が高まると共に、非常に美麗な外観を有することから、品格が向上できるという利点がある。
【発明を実施するための最良の形態】
【００１５】
以下では、本発明による望ましい実施例を添付図面を参照として、詳細に説明する。しかし、本発明は、様々変形し得るものとして、本実施例に限定されないことが理解できよう。
【００１６】
図１は、本発明による腕時計の分離斜視図であり、図２は、本発明による本体ケースの平面図及び断面図であり、図３は、本発明による腕時計の結合構成図であり、図４は、図３のＡ−Ａ線に沿う断面図である。
【００１７】
図１ないし図４を参照とし本発明の実施例を説明すると、本発明による腕時計１は、時計本体部１０と、本体ケース３０と、時計バンド５０とからなる。
【００１８】
時計本体部１０は、該上部中央にガラス１３が組み合わされ、外側に宝石リング１１が組み合わされ、一側に調節ピン１２が結合され、且つ、下端に複数の取付孔２１、２２を備えているバックカバー２０が固定ボルト２３により結合されている。
【００１９】
バックカバー２０には８つの取付孔が設けられているが、この中で、４つの取付孔２１は、時計本体部１０とバックカバー２０とを固定ボルト４０により螺合させるために用いられるものであって、他の４つの取付孔２２は時計本体部１０を本体ケース３０に取り付けるために用いられるものである。
【００２０】
本体ケース３０には、時計本体部１０が装着されかつ結合され得るように該上部中央に装着溝３１が設けられ、装着溝３１の底面両側にケース固定孔３２が設けられ、且つ、前面側には調節ピン装着部３４が形成され、両側には時計バンド５０を連結し得るべくバンド取付部３３が設けられている。
【００２１】
時計本体部１０は、本体ケース３０の装着溝３１に収容された後、本体ケース３０の下部からケース固定孔３２を介して固定ボルト４０をバックカバー２０の取付孔２２に螺合させることによって、本体ケース３０の装着溝３１に固定できる。また、本体ケース３０の両側バンド取付部３３には時計バンド５０が、例えば連結ピンのような通常の連結手段により、繋がることになる。
【００２２】
前述した本体ケース３０は、セラミック材からなることが好ましく、前述した本体ケース３０の装着溝３１の底面には４つのケース固定孔３２が設けられることが好ましい。
【００２３】
前述した構成による本発明の腕時計１の場合、時計本体部１０の上部中央にガラス１３を気密に組み合わせ、時計本体部１０の外側に宝石リング１１を組み合わせる。且つ、時計本体部１０の一側に調節ピン１２を組み合わせ、時計本体部１０の下端に、複数の取付孔２１、２２が備えられたバックカバー２０を取付孔２１を介して固定ボルト２３により螺合させる。ここで、宝石リング１１は、様々な形態の宝石を組み込みかつ設けることができる。
【００２４】
それから、調節ピン１２が調節ピン装着部３４に位置するように時計本体部１０を本体ケース３０の上部中央の装着溝３１に装着させた後、本体ケース３０の下部から、装着溝３１の底面両側に形成の４つのケース固定孔３２を介して固定ボルト４０を、時計本体部１０のバックカバー２０に形成の取付孔２２に螺合させることによって、本体ケース３０の装着溝３１に時計本体部１０を固定させるようになる。ひいては、本体ケース３０の両側に形成のバンド取付部３３に時計バンド５０を取り付けると、腕時計１の組立が完成される。ここで、本体ケース３０の装着溝３１は、時計本体部１０の形状に応じて円形、四角形から成されうる。
【００２５】
本体ケース３０は、様々な形態からなる時計本体部１０を収容し、背面から固定ボルト４０により固定させられるタイプであって、本体ケース３０の形態は、時計の機能やデザインによって変形可能である。
【００２６】
本発明による腕時計１は、本体ケース３０の装着溝３１に時計本体部１０を装着させた後、下部から固定ボルト４０により本体ケース３０と時計本体部１０とを組み合わせることによって、外部からは時計本体部１０のバックカバー２０が見えないようになる。このことから、商品の価値がさらに高まり、且つ、美麗な外観を有することができる。
【００２７】
また、本発明の腕時計１によれば、着用時、防水効果が図れると共に、手首にセラミック材の本体ケース３０が接触することになるため、肌触りが良く、人体に有益である。さらに、セラミック材の本体ケース３０は、より新しいものを追究する新世帯の若者にとって新概念のアクセサリー兼用の腕時計を提供し得る。
【００２８】
一方、本発明の詳細な説明では具体的な実施例に限って説明したが、本発明から逸脱しない範囲内にて様々変形が可能であることは言うまでもない。
【図面の簡単な説明】
【００２９】
【図１】本発明による腕時計の分離斜視図。
【図２】本発明による本体ケースの平面図及び断面図。
【図３】本発明による腕時計の組合構成図。
【図４】図３のＡ−Ａ線断面図。
【符号の説明】
【００３０】
１  腕時計
１０  時計本体部
１１  宝石リング
１２  調節ピン
１３  ガラス
２０  バックカバー
２１、２２  取付孔
３０  本体ケース
３１  装着溝
３２  ケース固定孔
３３  バンド取付部
３４  調節ピン装着部
４０  固定ボルト
５０  時計バンド
【図１】
2007003504.tif 000003
【図２】
2007003504.tif 000004
【図３】
2007003504.tif 000005
【図４】
2007003504.tif 000006